(57)【特許請求の範囲】
【請求項１】
電力系統に系統連系され、蓄電池の充放電検査を行うための蓄電池検査装置であって、
前記電力系統及び前記蓄電池の各々に電気的に接続された電力変換部であって、前記電力系統からの交流電力を直流電力に変換して当該直流電力を前記蓄電池に充電させ、前記蓄電池から放電された直流電力を交流電力に変換して当該交流電力を前記電力系統に供給する電力変換部と、
前記電力系統と前記蓄電池との、電力平準化のための系統連系を制御する系統連系制御部と、
前記電力変換部による前記蓄電池の充放電を制御する充放電制御部と、
前記蓄電池の状態を検出する蓄電池状態検出部と、を備え、
前記蓄電池は、セルであり、
前記蓄電池検査装置は、さらに、前記蓄電池状態検出部からの検出結果に基づいて、前記セルの劣化状態を推定する劣化状態推定部を備え、
前記劣化状態推定部は、前記劣化状態の推定結果に基づいて、前記蓄電池を前記セルの単位でランク分けし、当該ランク分けの結果に基づいて、複数の前記セルが電気的に接続されることにより構成される電池パックにおける前記複数のセルの配置を決定し、決定した前記複数のセルの配置を報知する
蓄電池検査装置。
【請求項２】
前記充放電制御部は、前記蓄電池の充放電を複数サイクル行う
請求項１に記載の蓄電池検査装置。
【請求項３】
前記電池パックは、さらに、前記蓄電池状態検出部と通信可能であり、前記複数のセルの各々の劣化状態を監視する電子制御ユニットを有しており、
前記電子制御ユニットは、前記複数のセルの各々の劣化状態を示す劣化推定情報を前記蓄電池状態検出部に送信し、
前記劣化状態推定部は、前記蓄電池状態検出部からの前記劣化推定情報に基づいて、前記複数のセルの各々の劣化状態を推定する
請求項１に記載の蓄電池検査装置。
【請求項４】
前記劣化状態推定部は、さらに、前記複数のセルのうち劣化しているセルを劣化セルとして特定し、特定した劣化セルに関する情報を報知する
請求項３に記載の蓄電池検査装置。
【請求項５】
電力系統に系統連系され、蓄電池の充放電検査を行うための蓄電池検査装置であって、
前記電力系統及び前記蓄電池の各々に電気的に接続された電力変換部であって、前記電力系統からの交流電力を直流電力に変換して当該直流電力を前記蓄電池に充電させ、前記蓄電池から放電された直流電力を交流電力に変換して当該交流電力を前記電力系統に供給する電力変換部と、
前記電力系統と前記蓄電池との、電力平準化のための系統連系を制御する系統連系制御部と、
前記電力変換部による前記蓄電池の充放電を制御する充放電制御部と、
前記蓄電池の状態を検出する蓄電池状態検出部と、を備え、
前記電力系統は、周波数が互いに異なる第１の電力系統及び第２の電力系統であり、
前記蓄電池検査装置は、前記第１の電力系統及び前記第２の電力系統のいずれかに系統連系され、
前記蓄電池検査装置は、さらに、前記電力変換部を、前記第１の電力系統に系統連系される第１の切替状態、及び、前記第２の電力系統に系統連系される第２の切替状態のいずれかに切り替える切替制御部を備え、
前記電力変換部は、
前記第１の切替状態では、前記第１の電力系統からの交流電力を直流電力に変換して当該直流電力を前記蓄電池に充電させ、前記蓄電池から放電された直流電力を交流電力に変換して当該交流電力を前記第１の電力系統に供給し、
前記第２の切替状態では、前記第２の電力系統からの交流電力を直流電力に変換して当該直流電力を前記蓄電池に充電させ、前記蓄電池から放電された直流電力を交流電力に変換して当該交流電力を前記第２の電力系統に供給し、
さらに、前記電力変換部は、
直流側が前記蓄電池に電気的に接続され、交流側が前記第１の電力系統に電気的に接続される第１のＡＣ／ＤＣコンバータと、
直流側が前記蓄電池に電気的に接続され、交流側が前記第２の電力系統に電気的に接続される第２のＡＣ／ＤＣコンバータと、を有し、
前記切替制御部は、
前記第１の切替状態では、前記第１のＡＣ／ＤＣコンバータの動作をオンさせ、且つ、前記第２のＡＣ／ＤＣコンバータの動作をオフさせ、
前記第２の切替状態では、前記第１のＡＣ／ＤＣコンバータの動作をオフさせ、且つ、前記第２のＡＣ／ＤＣコンバータの動作をオンさせる
蓄電池検査装置。
【請求項６】
前記切替制御部は、前記第１の電力系統及び前記第２の電力系統の各々における電力需給の状況に基づいて、前記第１の切替状態及び前記第２の切替状態のいずれかに切り替える
請求項５に記載の蓄電池検査装置。
【請求項７】
前記第１の電力系統における電力供給が不足している場合には、前記切替制御部は、前記第１の切替状態に切り替え、且つ、前記電力変換部は、前記蓄電池から放電された直流電力を交流電力に変換して当該交流電力を前記第１の電力系統に供給するように制御し、
前記第２の電力系統における電力供給が不足している場合には、前記切替制御部は、前記第２の切替状態に切り替え、且つ、前記電力変換部は、前記蓄電池から放電された直流電力を交流電力に変換して当該交流電力を前記第２の電力系統に供給するように制御する
請求項６に記載の蓄電池検査装置。
【請求項８】
前記第１の電力系統における電力需給がひっ迫している場合には、前記切替制御部は、前記第１の切替状態に切り替え、且つ、前記電力変換部は、前記蓄電池から放電された直流電力を交流電力に変換して当該交流電力を前記第１の電力系統に供給するように制御し、
前記第２の電力系統における電力需給がひっ迫している場合には、前記切替制御部は、前記第２の切替状態に切り替え、且つ、前記電力変換部は、前記蓄電池から放電された直流電力を交流電力に変換して当該交流電力を前記第２の電力系統に供給するように制御する
請求項６に記載の蓄電池検査装置。
【請求項９】
前記電力変換部は、前記電力系統を介して、太陽光発電装置及び風力発電装置の少なくとも一方に電気的に接続される
請求項１〜４のいずれか１項に記載の蓄電池検査装置。
【請求項１０】
前記切替制御部は、所定の条件を満たす場合に、前記第１の電力系統及び前記第２の電力系統の一方からの交流電力を他方に融通するように、前記第１のＡＣ／ＤＣコンバータ及び前記第２のＡＣ／ＤＣコンバータの各々の動作をともにオンさせる
請求項５に記載の蓄電池検査装置。
【請求項１１】
前記所定の条件は、前記第１の電力系統及び前記第２の電力系統の他方における電力供給が不足し、且つ、前記蓄電池の残容量が所定の閾値を下回ることである
請求項１０に記載の蓄電池検査装置。
【請求項１２】
請求項４に記載の蓄電池検査装置を用いた蓄電池の製造方法であって、
前記電力系統と前記電池パックとが電力平準化のために系統連系された状態で、前記電池パックの充放電検査を行うステップと、
前記複数のセルの各々の劣化状態を推定するステップと、
前記電池パックにおいて、前記複数のセルのうち劣化しているセルであると特定された劣化セルを他のセルと置き換えるステップと、を含む
蓄電池の製造方法。
【請求項１３】
請求項１に記載の蓄電池検査装置を用いた蓄電池の製造方法であって、
前記電力系統と前記セルとが電力平準化のために系統連系された状態で、前記セルの充放電検査を行うステップと、
前記セルの劣化状態を推定するステップと、
前記劣化状態の推定結果に基づいて、前記セルをランク分けするステップと、
前記ランク分けの結果に基づいて、前記セルを前記電池パックの所定位置に配置するステップと、を含む
蓄電池の製造方法。
【発明の詳細な説明】
【技術分野】
【０００１】
本開示は、蓄電池検査装置及び蓄電池の製造方法に関する。
【背景技術】
【０００２】
蓄電池の充放電検査を行うための技術として、例えば特許文献１に開示された検査システムが知られている。特許文献１の検査システムでは、検査専用の蓄電池を用いて、検査対象の蓄電池の充放電検査が行われる。
【先行技術文献】
【特許文献】
【０００３】
【特許文献１】特許第６１０４６２６号公報
【発明の概要】
【発明が解決しようとする課題】
【０００４】
上述した従来の検査システムを用いて、例えばＥＶ（Ｅｌｅｃｔｒｉｃ  Ｖｅｈｉｃｌｅ）用の蓄電池の充放電検査を行う場合には、次のような課題が生じる。ＥＶ用の蓄電池の容量は、例えば３０〜１００ｋＷｈと比較的大きいため、その容量に見合った電力を賄うことが可能な大容量の検査専用の蓄電池が必要となる。
【０００５】
そのため、例えば年間数十万台規模のＥＶ用の蓄電池の充放電検査を行うための大規模な検査システムでは、大容量の検査専用の蓄電池が多数必要となる。しかしながら、エネルギー資源の活用の観点からすると、充放電検査のための莫大な電力エネルギーを有効に活用しているとは言えない。
【０００６】
そこで、本開示は、蓄電池の充放電検査のための電力エネルギーを有効に活用することができる蓄電池検査装置及び蓄電池の製造方法を提供する。
【課題を解決するための手段】
【０００７】
本開示の一態様に係る蓄電池検査装置は、電力系統に系統連系され、蓄電池の充放電検査を行うための蓄電池検査装置であって、前記電力系統及び前記蓄電池の各々に電気的に接続された電力変換部であって、前記電力系統からの交流電力を直流電力に変換して当該直流電力を前記蓄電池に充電させ、前記蓄電池から放電された直流電力を交流電力に変換して当該交流電力を前記電力系統に供給する電力変換部と、前記電力系統と前記蓄電池との、電力平準化のための系統連系を制御する系統連系制御部と、前記電力変換部による前記蓄電池の充放電を制御する充放電制御部と、前記蓄電池の状態を検出する蓄電池状態検出部と、を備え、前記蓄電池は、セルであり、前記蓄電池検査装置は、さらに、前記蓄電池状態検出部からの検出結果に基づいて、前記セルの劣化状態を推定する劣化状態推定部を備え、前記劣化状態推定部は、前記劣化状態の推定結果に基づいて、前記蓄電池を前記セルの単位でランク分けし、当該ランク分けの結果に基づいて、複数の前記セルが電気的に接続されることにより構成される電池パックにおける前記複数のセルの配置を決定し、決定した前記複数のセルの配置を報知する。
また、本開示の一態様に係る蓄電池検査装置は、電力系統に系統連系され、蓄電池の充放電検査を行うための蓄電池検査装置であって、前記電力系統及び前記蓄電池の各々に電気的に接続された電力変換部であって、前記電力系統からの交流電力を直流電力に変換して当該直流電力を前記蓄電池に充電させ、前記蓄電池から放電された直流電力を交流電力に変換して当該交流電力を前記電力系統に供給する電力変換部と、前記電力系統と前記蓄電池との、電力平準化のための系統連系を制御する系統連系制御部と、前記電力変換部による前記蓄電池の充放電を制御する充放電制御部と、前記蓄電池の状態を検出する蓄電池状態検出部と、を備え、前記電力系統は、周波数が互いに異なる第１の電力系統及び第２の電力系統であり、前記蓄電池検査装置は、前記第１の電力系統及び前記第２の電力系統のいずれかに系統連系され、前記蓄電池検査装置は、さらに、前記電力変換部を、前記第１の電力系統に系統連系される第１の切替状態、及び、前記第２の電力系統に系統連系される第２の切替状態のいずれかに切り替える切替制御部を備え、前記電力変換部は、前記第１の切替状態では、前記第１の電力系統からの交流電力を直流電力に変換して当該直流電力を前記蓄電池に充電させ、前記蓄電池から放電された直流電力を交流電力に変換して当該交流電力を前記第１の電力系統に供給し、前記第２の切替状態では、前記第２の電力系統からの交流電力を直流電力に変換して当該直流電力を前記蓄電池に充電させ、前記蓄電池から放電された直流電力を交流電力に変換して当該交流電力を前記第２の電力系統に供給し、さらに、前記電力変換部は、直流側が前記蓄電池に電気的に接続され、交流側が前記第１の電力系統に電気的に接続される第１のＡＣ／ＤＣコンバータと、直流側が前記蓄電池に電気的に接続され、交流側が前記第２の電力系統に電気的に接続される第２のＡＣ／ＤＣコンバータと、を有し、前記切替制御部は、前記第１の切替状態では、前記第１のＡＣ／ＤＣコンバータの動作をオンさせ、且つ、前記第２のＡＣ／ＤＣコンバータの動作をオフさせ、前記第２の切替状態では、前記第１のＡＣ／ＤＣコンバータの動作をオフさせ、且つ、前記第２のＡＣ／ＤＣコンバータの動作をオンさせる。
【０００８】
なお、これらの包括的又は具体的な態様は、システム、方法、集積回路、コンピュータプログラム又はコンピュータで読み取り可能なＣＤ−ＲＯＭ（Ｃｏｍｐａｃｔ  Ｄｉｓｃ−Ｒｅａｄ  Ｏｎｌｙ  Ｍｅｍｏｒｙ）等の記録媒体で実現されてもよく、システム、方法、集積回路、コンピュータプログラム及び記録媒体の任意な組み合わせで実現されてもよい。
【発明の効果】
【０００９】
本開示の一態様に係る蓄電池検査装置等によれば、蓄電池の充放電検査のための電力エネルギーを有効に活用することができる。
【図面の簡単な説明】
【００１０】
【図１】実施の形態１に係る蓄電池検査装置の構成を示すブロック図である。
【図２】実施の形態１に係る蓄電池検査装置を用いた電池パックの製造工程の流れを示すフローチャートである。
【図３】実施の形態１に係る劣化状態推定部により決定された複数のセルの配置の一例を示す図である。
【図４】実施の形態１の変形例に係る劣化状態推定部により決定された複数のセルの使い分けの一例を示す図である。
【図５】実施の形態２に係る蓄電池検査装置の構成を示すブロック図である。
【図６】実施の形態２に係る蓄電池検査装置を用いた電池パックの製造工程の流れを示すフローチャートである。
【図７】実施の形態３に係る蓄電池検査装置の構成を示すブロック図である。
【図８】実施の形態３に係る蓄電池検査装置の動作の流れを示すフローチャートである。
【図９】実施の形態４に係る蓄電池検査装置の構成を示すブロック図である。
【図１０】実施の形態４に係る蓄電池検査装置の動作の流れを示すフローチャートである。
【発明を実施するための形態】
【００１１】
本開示の一態様に係る蓄電池検査装置は、電力系統に系統連系され、蓄電池の充放電検査を行うための蓄電池検査装置であって、前記電力系統及び前記蓄電池の各々に電気的に接続された電力変換部であって、前記電力系統からの交流電力を直流電力に変換して当該直流電力を前記蓄電池に充電させ、前記蓄電池から放電された直流電力を交流電力に変換して当該交流電力を前記電力系統に供給する電力変換部と、前記電力系統と前記蓄電池との、電力平準化のための系統連系を制御する系統連系制御部と、前記電力変換部による前記蓄電池の充放電を制御する充放電制御部と、前記蓄電池の状態を検出する蓄電池状態検出部と、を備える。
【００１２】
本態様によれば、電力系統と蓄電池とが電力平準化のために系統連系された状態で、蓄電池の充放電検査が行われる。これにより、例えば日射量の多い昼間等のように、再生可能エネルギーの発電量が多くなる時間帯には、電力系統からの余剰電力により蓄電池の充電を行うことができる。また、例えば日射量の少ない夕方等のように、再生可能エネルギーの発電量が少なくなり且つ電力需要が多くなる時間帯には、蓄電池の放電を行うことにより、電力系統に逆潮流することができる。その結果、電力系統の周波数の安定化を図ることができるとともに、再生可能エネルギーの平準化を図ることができる。したがって、エネルギー資源の活用の観点から、充放電検査のための莫大な電力エネルギーを有効に活用することができる。
【００１３】
例えば、前記充放電制御部は、前記蓄電池の充放電を複数サイクル行うように構成してもよい。
【００１４】
本態様によれば、充放電制御部は蓄電池の充放電を複数サイクル行うので、充放電検査を比較的長い期間に亘って行うことができる。その結果、再生可能エネルギーの平準化を効果的に図ることができるとともに、蓄電池の初期不良の発生を抑制することができる。
【００１５】
例えば、前記蓄電池は、セル、又は、複数のセルが電気的に接続されることにより構成された電池パックであり、前記蓄電池検査装置は、さらに、前記蓄電池状態検出部からの検出結果に基づいて、前記セル又は前記電池パックの劣化状態を推定する劣化状態推定部を備えるように構成してもよい。
【００１６】
本態様によれば、劣化状態推定部はセル又は電池パックの劣化状態を推定するので、例えば劣化の度合いの大きいセル又は電池パックを不良品として判定するなど、蓄電池の品質を維持するための適切な対応を行うことができる。
【００１７】
例えば、前記蓄電池は、前記電池パックであり、前記電池パックは、さらに、前記蓄電池状態検出部と通信可能であり、前記複数のセルの各々の劣化状態を監視する電子制御ユニットを有しており、前記電子制御ユニットは、前記複数のセルの各々の劣化状態を示す劣化推定情報を前記蓄電池状態検出部に送信し、前記劣化状態推定部は、前記蓄電池状態検出部からの前記劣化推定情報に基づいて、前記複数のセルの各々の劣化状態を推定するように構成してもよい。
【００１８】
本態様によれば、電子制御ユニットは劣化推定情報を蓄電池状態検出部に送信するので、劣化状態推定部は、蓄電池状態検出部からの劣化推定情報に基づいて、複数のセルの各々の劣化状態を効率良く推定することができる。
【００１９】
例えば、前記劣化状態推定部は、さらに、前記複数のセルのうち劣化しているセルを劣化セルとして特定し、特定した劣化セルに関する情報を報知するように構成してもよい。
【００２０】
本態様によれば、劣化状態推定部は、複数のセルのうち劣化しているセルを劣化セルとして特定するので、例えば電池パックにおいて劣化セルを他のセルと置き換えることができる。これにより、電池パックの品質を高めることができる。
【００２１】
例えば、前記劣化状態推定部は、前記劣化状態の推定結果に基づいて、前記蓄電池を前記セル又は前記電池パックの単位でランク分けし、ランク分けの結果を報知するように構成してもよい。
【００２２】
本態様によれば、劣化状態推定部は蓄電池をセル又は電池パックの単位でランク分けするので、蓄電池の用途に応じてセル又は電池パックを適切に使い分けることができる。
【００２３】
例えば、前記蓄電池は、前記セルであり、前記劣化状態推定部は、前記蓄電池を前記セルの単位でランク分けし、当該ランク分けの結果に基づいて、前記電池パックにおける前記複数のセルの配置を決定し、決定した前記複数のセルの配置を報知するように構成してもよい。
【００２４】
本態様によれば、劣化状態推定部は、ランク分けの結果に基づいて電池パックにおける複数のセルの配置を決定するので、セルを電池パックの所定位置に配置することができ、電池パックの品質を高めることができる。
【００２５】
例えば、前記電力系統は、周波数が互いに異なる第１の電力系統及び第２の電力系統であり、前記蓄電池検査装置は、前記第１の電力系統及び前記第２の電力系統のいずれかに系統連系され、前記蓄電池検査装置は、さらに、前記電力変換部を、前記第１の電力系統に系統連系される第１の切替状態、及び、前記第２の電力系統に系統連系される第２の切替状態のいずれかに切り替える切替制御部を備え、前記電力変換部は、前記第１の切替状態では、前記第１の電力系統からの交流電力を直流電力に変換して当該直流電力を前記蓄電池に充電させ、前記蓄電池から放電された直流電力を交流電力に変換して当該交流電力を前記第１の電力系統に供給し、前記第２の切替状態では、前記第２の電力系統からの交流電力を直流電力に変換して当該直流電力を前記蓄電池に充電させ、前記蓄電池から放電された直流電力を交流電力に変換して当該交流電力を前記第２の電力系統に供給するように構成してもよい。
【００２６】
本態様によれば、切替制御部が電力変換部を第１の切替状態に切り替えることにより、蓄電池に充電された直流電力を利用して、第１の電力系統に交流電力を融通することができる。同様に、切替制御部が電力変換部を第２の切替状態に切り替えることにより、蓄電池に充電された直流電力を利用して、第２の電力系統に交流電力を融通することができる。したがって、周波数が互いに異なる第１の電力系統及び第２の電力系統のうち任意の電力系統に交流電力を融通することができる。
【００２７】
例えば、前記切替制御部は、前記第１の電力系統及び前記第２の電力系統の各々における電力需給の状況に基づいて、前記第１の切替状態及び前記第２の切替状態のいずれかに切り替えるように構成してもよい。
【００２８】
本態様によれば、蓄電池に充電された直流電力を利用して、第１の電力系統及び第２の電力系統のうち、電力需給の状況から電力を必要とする側の電力系統に対して交流電力を融通することができる。
【００２９】
例えば、前記第１の電力系統における電力供給が不足している場合には、前記切替制御部は、前記第１の切替状態に切り替え、且つ、前記電力変換部は、前記蓄電池から放電された直流電力を交流電力に変換して当該交流電力を前記第１の電力系統に供給するように制御し、前記第２の電力系統における電力供給が不足している場合には、前記切替制御部は、前記第２の切替状態に切り替え、且つ、前記電力変換部は、前記蓄電池から放電された直流電力を交流電力に変換して当該交流電力を前記第２の電力系統に供給するように制御するように構成してもよい。
【００３０】
本態様によれば、蓄電池に充電された直流電力を利用して、第１の電力系統及び第２の電力系統のうち、電力供給が不足している側の電力系統に対して交流電力を融通することができる。
【００３１】
例えば、前記第１の電力系統における電力需給がひっ迫している場合には、前記切替制御部は、前記第１の切替状態に切り替え、且つ、前記電力変換部は、前記蓄電池から放電された直流電力を交流電力に変換して当該交流電力を前記第１の電力系統に供給するように制御し、前記第２の電力系統における電力需給がひっ迫している場合には、前記切替制御部は、前記第２の切替状態に切り替え、且つ、前記電力変換部は、前記蓄電池から放電された直流電力を交流電力に変換して当該交流電力を前記第２の電力系統に供給するように制御するように構成してもよい。
【００３２】
本態様によれば、蓄電池に充電された直流電力を利用して、第１の電力系統及び第２の電力系統のうち、電力需給がひっ迫している側の電力系統に対して交流電力を予め融通することができる。
【００３３】
例えば、前記電力変換部は、前記電力系統を介して、太陽光発電装置及び風力発電装置の少なくとも一方に電気的に接続されるように構成してもよい。
【００３４】
本態様によれば、太陽光及び風力による再生可能エネルギーを蓄電池の充電に利用することができるため、蓄電池の充電に係る電力コストを抑制することができる。
【００３５】
例えば、前記電力変換部は、直流側が前記蓄電池に電気的に接続されるＡＣ／ＤＣコンバータと、前記ＡＣ／ＤＣコンバータの交流側の電気的な接続先を、前記第１の電力系統及び前記第２の電力系統のいずれかに切り替える切替部と、を有し、前記切替制御部は、前記第１の切替状態では、前記ＡＣ／ＤＣコンバータの交流側の電気的な接続先を前記
第１の電力系統に切り替えるように前記切替部を制御し、前記第２の切替状態では、前記ＡＣ／ＤＣコンバータの交流側の電気的な接続先を前記第２の電力系統に切り替えるように前記切替部を制御するように構成してもよい。
【００３６】
本態様によれば、簡単な構成で、電力変換部を第１の切替状態及び第２の切替状態のいずれかに切り替えることができる。
【００３７】
例えば、前記電力変換部は、直流側が前記蓄電池に電気的に接続され、交流側が前記第１の電力系統に電気的に接続される第１のＡＣ／ＤＣコンバータと、直流側が前記蓄電池に電気的に接続され、交流側が前記第２の電力系統に電気的に接続される第２のＡＣ／ＤＣコンバータと、を有し、前記切替制御部は、前記第１の切替状態では、前記第１のＡＣ／ＤＣコンバータの動作をオンさせ、且つ、前記第２のＡＣ／ＤＣコンバータの動作をオフさせ、前記第２の切替状態では、前記第１のＡＣ／ＤＣコンバータの動作をオフさせ、且つ、前記第２のＡＣ／ＤＣコンバータの動作をオンさせるように構成してもよい。
【００３８】
本態様によれば、簡単な構成で、電力変換部を第１の切替状態及び第２の切替状態のいずれかに切り替えることができる。
【００３９】
例えば、前記切替制御部は、所定の条件を満たす場合に、前記第１の電力系統及び前記第２の電力系統の一方からの交流電力を他方に融通するように、前記第１のＡＣ／ＤＣコンバータ及び前記第２のＡＣ／ＤＣコンバータの各々の動作をともにオンさせるように構成してもよい。
【００４０】
本態様によれば、第１のＡＣ／ＤＣコンバータ及び第２のＡＣ／ＤＣコンバータの各々の動作をともにオンさせることにより、第１の電力系統及び第２の電力系統の一方からの交流電力を他方に融通することができる。
【００４１】
例えば、前記所定の条件は、前記第１の電力系統及び前記第２の電力系統の他方における電力供給が不足し、且つ、前記蓄電池の残容量が所定の閾値を下回ることであるように構成してもよい。
【００４２】
本態様によれば、蓄電池の残容量が所定の閾値を下回ることにより、蓄電池に充電された直流電力を利用して交流電力を融通することができない場合であっても、第１のＡＣ／ＤＣコンバータ及び第２のＡＣ／ＤＣコンバータの各々の動作をともにオンさせることにより、第１の電力系統及び第２の電力系統の一方からの交流電力を他方に融通することができる。
【００４３】
本開示の一態様に係る蓄電池の製造方法は、上述した蓄電池検査装置を用いた蓄電池の製造方法であって、電力系統と前記蓄電池である電池パックとが電力平準化のために系統連系された状態で、前記電池パックの充放電検査を行うステップと、複数のセルの各々の劣化状態を推定するステップと、前記電池パックにおいて、前記複数のセルのうち劣化しているセルであると特定された劣化セルを他のセルと置き換えるステップと、を含む。
【００４４】
本態様によれば、電池パックにおいて、複数のセルのうち劣化していると特定された劣化セルを他のセルと置き換えるので、電池パックの品質を高めることができる。
【００４５】
本開示の一態様に係る蓄電池の製造方法は、上述した蓄電池検査装置を用いた蓄電池の製造方法であって、電力系統と前記蓄電池であるセルとが電力平準化のために系統連系された状態で、前記セルの充放電検査を行うステップと、前記セルの劣化状態を推定するステップと、前記劣化状態の推定結果に基づいて、前記セルをランク分けするステップと、前記ランク分けの結果に基づいて、前記セルを前記電池パックの所定位置に配置するステップと、を含む。
【００４６】
本態様によれば、ランク分けの結果に基づいて、セルを電池パックの所定位置に配置するので、電池パックの品質を高めることができる。
【００４７】
なお、これらの包括的又は具体的な態様は、システム、方法、集積回路、コンピュータプログラム又はコンピュータで読み取り可能なＣＤ−ＲＯＭ等の記録媒体で実現されてもよく、システム、方法、集積回路、コンピュータプログラム又は記録媒体の任意な組み合わせで実現されてもよい。
【００４８】
以下、実施の形態について、図面を参照しながら具体的に説明する。
【００４９】
なお、以下で説明する実施の形態は、いずれも包括的又は具体的な例を示すものである。以下の実施の形態で示される数値、形状、材料、構成要素、構成要素の配置位置及び接続形態、ステップ、ステップの順序等は、一例であり、本開示を限定する主旨ではない。また、以下の実施の形態における構成要素のうち、最上位概念を示す独立請求項に記載されていない構成要素については、任意の構成要素として説明される。
【００５０】
（実施の形態１）
［１−１．蓄電池検査装置の構成］
まず、図１を参照しながら、実施の形態１に係る蓄電池検査装置２の構成について説明する。図１は、実施の形態１に係る蓄電池検査装置２の構成を示すブロック図である。
【００５１】
図１に示すように、蓄電池検査装置２は、電力系統４に電力平準化のために系統連系された蓄電池の充放電検査を行うための装置である。本実施の形態では、蓄電池は、電池パック６を構成するセル８であり、蓄電池検査装置２は、セル８の単位で蓄電池の充放電検査を行う。すなわち、本明細書において、蓄電池とは、充放電検査を行う単位をいう。
【００５２】
複数のセル８が電気的に直列接続されることにより、電池パック６が構成される。電池パック６は、充電機能及び放電機能を有しており、例えばＥＶ、ＰＨＶ（Ｐｌｕｇ−ｉｎ
Ｈｙｂｒｉｄ  Ｖｅｈｉｃｌｅ）及びＨＥＶ（Ｈｙｂｒｉｄ−Ｅｌｅｃｔｒｉｃ  Ｖｅｈｉｃｌｅ）等の各種電動車両に搭載される。
【００５３】
電力系統４には、太陽光発電装置１０、風力発電装置１２、火力発電装置１４及び蓄電池検査装置２が電気的に接続されている。なお、電力系統４は、太陽光発電装置１０、風力発電装置１２及び火力発電装置１４の各々により発電された交流電力、並びに、蓄電池検査装置２から逆潮流された交流電力を、需要家（図示せず）に供給するための商用電力系統である。
【００５４】
太陽光発電装置１０は、太陽電池１６と、電力変換部１８とを備えている。太陽電池１６は、太陽光エネルギーを電気エネルギーに変換することにより発電する太陽電池モジュールである。太陽電池１６は、発電により直流電力を生成し、生成した直流電力を電力変換部１８に出力する。電力変換部１８は、電力系統４及び太陽電池１６の各々に電気的に接続されたＤＣ／ＡＣインバータである。電力変換部１８は、太陽電池１６からの直流電力を交流電力に変換して、当該交流電力を電力系統４に供給する。
【００５５】
風力発電装置１２は、風力発電機２０と、電力変換部２２とを備えている。風力発電機２０は、風力エネルギーを電気エネルギーに変換することにより発電する風車である。風力発電機２０は、発電により生成した交流電力を整流して直流電力として出力する。この直流電力は、電力変換部２２に出力される。電力変換部２２は、電力系統４及び風力発電機２０の各々に電気的に接続されたＤＣ／ＡＣインバータである。電力変換部２２は、風力発電機２０からの整流された直流電力を交流電力に変換して、当該交流電力を電力系統４に供給する。
【００５６】
火力発電装置１４は、火力エネルギーを電気エネルギーに変換することにより発電する装置である。火力発電装置１４は、発電により交流電力を生成し、生成した交流電力を電力系統４に供給する。
【００５７】
蓄電池検査装置２は、インターフェース回路２４と、電力変換部２６と、統合制御部２８とを備えている。蓄電池検査装置２は、例えば電池パック６を製造するための工場３０内の検査エリアに設置されている。
【００５８】
インターフェース回路２４は、電力変換部２６と複数のセル８の各々とを互いに電気的に接続するためのインターフェースである。インターフェース回路２４には、電力変換部２６の直流側が電気的に接続され、且つ、検査対象の複数のセル８がそれぞれ複数の検査治具（図示せず）を介して電気的に接続される。すなわち、複数のセル８の各々は、インターフェース回路２４を介して電力変換部２６の直流側に電気的に接続される。なお、複数のセル８の各々には、当該セル８を識別するためのシリアル番号等が割り当てられている。
【００５９】
電力変換部２６は、電力系統４及びインターフェース回路２４（複数のセル８）の各々に電気的に接続された双方向ＤＣ／ＡＣインバータである。電力変換部２６は、電力系統４からの交流電力を直流電力に変換し、当該直流電力をインターフェース回路２４に電気的に接続された複数のセル８の各々に充電させる。また、電力変換部２６は、インターフェース回路２４に電気的に接続された複数のセル８の各々から放電された直流電力を交流電力に変換し、当該交流電力を電力系統４に逆潮流（供給）する。
【００６０】
統合制御部２８は、蓄電池検査装置２を統括的に制御するためのコントローラである。統合制御部２８は、系統連系制御部３２と、充放電制御部３４と、蓄電池状態検出部３６と、劣化状態推定部３８とを有している。
【００６１】
系統連系制御部３２は、電力変換部２６を駆動することにより、電力系統４と複数のセル８との電力平準化のための系統連系を制御する。具体的には、系統連系制御部３２は、電力会社（図示せず）からの指示に基づいて、電力変換部２６からの交流電力を電力系統４に逆潮流させるタイミング及び期間等を制御する。
【００６２】
充放電制御部３４は、電力変換部２６を駆動することにより、電力変換部２６による複数のセル８の充放電を制御する。具体的には、充放電制御部３４は、複数のセル８の各々の充放電のサイクル及び充放電電圧等を制御する。ここで、充放電制御部３４は、複数のセル８の各々の充放電を所定サイクル（例えば、数十サイクル〜数百サイクル程度の複数サイクル）行う。これにより、複数のセル８の充放電検査は、所定期間（例えば１か月程度）に亘って行われるようになる。なお、充放電のサイクル数は、充放電検査によりセル８の寿命に著しい影響を及ぼさない条件（例えば、セル８の電池容量の劣化が数％以内）を満たすように決定される。
【００６３】
ここで、複数のセル８の充放電検査は、所定期間（例えば１か月程度）に亘って行われるため、複数のセル８は、例えば１か月分の生産数量が蓄電池検査装置２に接続される。そして、蓄電池検査装置２に接続されてから１か月が経過したセル８は取り外され、その日に生産された新しいセル８が蓄電池検査装置２に接続される。このようなセル８の取り外し、及び、接続を、工場３０の操業日毎に繰り返すことにより、全てのセル８の充放電検査を所定期間に亘って行うことができる。
【００６４】
蓄電池状態検出部３６は、電力変換部２６により複数のセル８が充放電されている状態で、複数のセル８の各々の状態を検出する。具体的には、蓄電池状態検出部３６は、複数のセル８の各々の充放電電圧等を検出し、検出結果を劣化状態推定部３８に出力する。
【００６５】
劣化状態推定部３８は、蓄電池状態検出部３６からの検出結果に基づいて、複数のセル８の各々の劣化状態を推定する。すなわち、劣化状態推定部３８は、充放電検査による複数のセル８の各々の劣化の度合いを定量的に推定する。なお、劣化状態推定部３８は、複数のセル８の各々の推定した劣化の度合いを、例えば当該セル８に割り当てられたシリアル番号等と紐付けて管理する。
【００６６】
また、劣化状態推定部３８は、複数のセル８の各々の劣化状態の推定結果に基づいて、複数のセル８を電池パック６の用途に応じてランク分けする。具体的には、劣化状態推定部３８は、複数のセル８の各々の推定した劣化状態と、それらの初期状態との比較に基づいて、複数のセル８の各々を例えば４段階（ランクＡＡＡ、ランクＡＡ、ランクＡ、ランクＢ）にランク分けする。劣化状態推定部３８は、劣化の度合いが最も小さい範囲（例えば電池容量が初期に比べ１％未満の低下）にあると推定したセル８をランクＡＡＡと決定し、劣化の度合いが２番目に小さい範囲（例えば電池容量が初期に比べ１％以上２％未満の低下）にあると推定したセル８をランクＡＡと決定する。また、劣化状態推定部３８は、劣化の度合いが３番目に小さい範囲（例えば電池容量が初期に比べ２％以上３％未満の低下）にあると推定したセル８をランクＡと決定し、劣化の度合いが最も大きい範囲（例えば電池容量が初期に比べ３％以上４％未満の低下）にあると推定したセル８をランクＢと決定する。なお、劣化状態推定部３８は、複数のセル８の各々のランクを、例えば当該セル８に割り当てられたシリアル番号等と紐付けて管理する。また、劣化状態推定部３８は、劣化の度合いが最も大きい範囲を超えて（例えば電池容量が初期に比べ４％以上の低下）劣化したセル８については、不良品と決定してもよい。
【００６７】
さらに、劣化状態推定部３８は、ランク分けの結果に基づいて、電池パック６における複数のセル８の配置を決定する。劣化状態推定部３８は、ランク分けの結果、及び、決定した複数のセル８の配置を、例えば工場３０内の組み立てエリアに設置されたモニタ（図示せず）に報知する。なお、劣化状態推定部３８は、工場３０内のモニタ以外に、例えば工場３０内に設置された各種装置や作業員等が所持する携帯端末等に、ランク分けの結果及び決定した複数のセル８の配置を報知してもよい。
【００６８】
［１−２．電池パックの製造工程］
次に、図２及び図３を参照しながら、蓄電池検査装置２を用いた電池パック６の製造工程について説明する。図２は、実施の形態１に係る蓄電池検査装置２を用いた電池パック６の製造工程の流れを示すフローチャートである。図３は、実施の形態１に係る劣化状態推定部３８により決定された複数のセル８の配置の一例を示す図である。
【００６９】
図２に示すように、まず、例えば工場３０内の製造エリアにおいて、複数のセル８が製造される（Ｓ１０１）。その後、製造された複数のセル８は、例えば工場３０内の検査エリアに搬送され、蓄電池検査装置２のインターフェース回路２４に電気的に接続される。これにより、複数のセル８の充放電検査が開始される（Ｓ１０２）。
【００７０】
充電期間には、電力系統４からの余剰電力（交流電力）が電力変換部２６により直流電力に変換され、当該直流電力が複数のセル８の各々に充電される。一方、放電期間には、複数のセル８の各々から放電された直流電力が電力変換部２６により交流電力に変換され、当該交流電力が電力系統４に逆潮流される。
【００７１】
蓄電池状態検出部３６は、電力変換部２６により複数のセル８の各々が充放電されている状態で、複数のセル８の各々の状態を検出する（Ｓ１０３）。複数のセル８の各々の充放電が所定サイクル行われていない場合には（Ｓ１０４でＮＯ）、上述したステップＳ１０３に戻る。なお、所定サイクルとは、所定期間（例えば１か月）における充放電回数のことである。
【００７２】
複数のセル８の各々の充放電が所定サイクル行われた場合には（Ｓ１０４でＹＥＳ）、複数のセル８の充放電検査が終了する（Ｓ１０５）。その後、劣化状態推定部３８は、蓄電池状態検出部３６からの検出結果に基づいて、複数のセル８の各々の劣化状態を推定し（Ｓ１０６）、複数のセル８をランク分けする（Ｓ１０７）。
【００７３】
さらに、劣化状態推定部３８は、ランク分けの結果に基づいて、電池パック６における複数のセル８の配置を決定する（Ｓ１０８）。なお、劣化状態推定部３８は、ランク分けの結果、及び、決定した複数のセル８の配置を、例えば工場３０内の組み立てエリアに設置されたモニタに報知する。
【００７４】
ここで、劣化状態推定部３８により決定された複数のセル８の配置の一例について、図３を参照しながら説明する。図３に示す電池パック６は、例えば電動車両に用いられる電池パックであり、冷却用の放熱プレート４０を有している。放熱プレート４０上には、複数のセル８が配置されている。放熱プレート４０の内部には、冷却水の流路となる水路４２が蛇行状に形成されている。水路４２の上流側端部及び下流側端部にはそれぞれ、供給管４４及び排出管４６が接続されている。供給管４４及び排出管４６は、放熱プレート４０の外部に突出している。冷却水は、供給管４４から水路４２に供給されて、水路４２の上流側端部から下流側端部へと流れ、排出管４６から外部に排出される。
【００７５】
放熱プレート４０において、水路４２の下流側端部側の領域４８では、冷却水の温度が高く放熱効率が低いため比較的高温となり、水路４２の上流側端部側の領域５０では、冷却水の温度が低く放熱効率が高いため比較的低温となる。そのため、劣化状態推定部３８は、比較的高温となる放熱プレート４０の領域４８に、寿命が比較的長いと予想されるランクＡＡＡのセル８を配置するように決定する。また、劣化状態推定部３８は、比較的低温となる放熱プレート４０の領域５０に、寿命が比較的短いと予想されるランクＡ及びランクＢのセル８を配置するように決定する。さらに、劣化状態推定部３８は、放熱プレート４０の領域４８と領域５０との間の領域５２に、寿命が中程度であると予想されるランクＡＡのセル８を配置するように決定する。
【００７６】
このように、電池パック６において、使用環境が厳しい高温領域ほど、寿命が比較的長いと予想されるランクの高いセル８を配置することにより、電池パック６の品質を高めることができる。
【００７７】
その後、充放電検査が行われた複数のセル８は、例えば工場３０内の組み立てエリアに搬送され、電池パック６の組み立てが行われる（Ｓ１０９）。この時、組み立てエリアの作業員等は、モニタの表示内容に基づいて、例えば図３に示すように複数のセル８をそれぞれ電池パック６の所定位置に配置することにより、電池パック６を組み立てる。
【００７８】
［１−３．効果］
上述したように、本実施の形態では、例えば電池パック６の製造工程において、電力系統４と複数のセル８とが電力平準化のために系統連系された状態で、複数のセル８の充放電検査が行われる。
【００７９】
これにより、例えば日射量の多い昼間等のように、再生可能エネルギーの発電量が多くなる時間帯には、電力系統４からの余剰電力により複数のセル８の各々の充電が行われる。また、例えば日射量の少ない夕方等のように、再生可能エネルギーの発電量が少なくなり且つ電力需要が多くなる時間帯には、複数のセル８の各々の放電が行われ、電力系統４に逆潮流される。
【００８０】
その結果、電力平準化のための専用の蓄電システムを設けることなく、工場３０に設けた蓄電池検査装置２により、電力系統４の周波数の安定化を図ることができるとともに、再生可能エネルギーの平準化を図ることができる。したがって、エネルギー資源の活用の観点から、充放電検査のための莫大な電力エネルギー（例えば、数十〜数百ＭＷｈ）を有効に活用することができる。
【００８１】
［１−４．変形例］
本実施の形態では、劣化状態推定部３８は、ランク分けの結果に基づいて、電池パック６における複数のセル８の配置を決定したが、これに限定されず、例えば電池パック６の用途に応じて複数のセル８の使い分けを決定してもよい。
【００８２】
図４は、実施の形態１の変形例に係る劣化状態推定部３８により決定された複数のセル８の使い分けの一例を示す図である。一般に、例えば、特にＥＶ用の電池パック６ａでは、エネルギー密度（体積及び重量当たりのエネルギー）が重要視されるため、比較的高いランクのセル８を優先的に使用するのが好ましい。そのため、図４に示すように、本変形例の劣化状態推定部３８は、寿命が比較的長いと予想されるランクＡＡＡ及びランクＡＡのセル８を、ＥＶ用の電池パック６ａに使用するように決定する。
【００８３】
また、一般に、例えば定置電源用の電池パック６ｂでは、体積及び重量の制限が緩いため、容量を増やして、使用するＳＯＣ（Ｓｔａｔｅ  Ｏｆ  Ｃｈａｒｇｅ）の範囲を制限することにより、比較的低いランクのセル８を使用しても差し支えない。そのため、図４に示すように、劣化状態推定部３８は、寿命が中程度と予想されるランクＡのセル８、及び、寿命が比較的短いと予想されるランクＢのセル８を、定置電源用の電池パック６ｂに使用するように決定する。
【００８４】
なお、例えば工場用の搬送台車等の搬送車両では、当該搬送車両に搭載された電池パック（図示せず）を定期的にメンテナンスすることが容易である。そのため、劣化状態推定部３８は、寿命が中程度であると予想されるランクＡのセル８を、搬送車両用の電池パックに使用するように決定してもよい。
【００８５】
（実施の形態２）
［２−１．蓄電池検査装置の構成］
図５を参照しながら、実施の形態２に係る蓄電池検査装置２Ａの構成について説明する。図５は、実施の形態２に係る蓄電池検査装置２Ａの構成を示すブロック図である。なお、以下に示す各実施の形態において、上記実施の形態１と同一の構成要素には同一の符号を付して、その説明を省略する。
【００８６】
図５に示すように、実施の形態２に係る蓄電池検査装置２Ａは、電池パック６Ａの単位で蓄電池の充放電検査を行う。インターフェース回路２４には、検査対象の複数の電池パック６Ａがそれぞれ複数の検査治具（図示せず）を介して電気的に接続される。すなわち、複数の電池パック６Ａの各々は、インターフェース回路２４を介して電力変換部２６の直流側に電気的に接続される。
【００８７】
したがって、複数の電池パック６Ａは、例えば１か月分の生産数量が蓄電池検査装置２Ａに接続される。そして、蓄電池検査装置２Ａに接続されてから１か月が経過した電池パック６Ａは取り外され、その日に生産された新しい電池パック６Ａが蓄電池検査装置２Ａに接続される。このような電池パック６Ａの取り外し、及び、接続を、工場３０の操業日毎に繰り返すことにより、全ての電池パック６Ａの充放電検査を所定期間に亘って行うことができる。
【００８８】
電池パック６Ａは、複数のセル８に加えて、ＥＣＵ（Ｅｌｅｃｔｒｏｎｉｃ  Ｃｏｎｔｒｏｌ  Ｕｎｉｔ）５４を有している。ＥＣＵ５４は、電池パック６Ａに搭載された複数のセル８の各々の劣化状態を監視するための電子制御ユニットである。ＥＣＵ５４は、インターフェース回路２４を介して統合制御部２８Ａの蓄電池状態検出部３６Ａと通信可能であり、複数のセル８の各々の劣化状態を示す劣化推定情報を生成し、生成した劣化推定情報を蓄電池状態検出部３６Ａに送信する。
【００８９】
なお、ＥＣＵ５４は、生成した劣化推定情報を当該ＥＣＵ５４のメモリに記憶してもよい。この場合、ＥＣＵ５４は、メモリに記憶した劣化推定情報を、例えば電動車両に搭載されたＥＣＵ又はピークシフト蓄電システム等の各種装置に送信してもよい。
【００９０】
蓄電池状態検出部３６Ａは、インターフェース回路２４に電気的に接続された複数の電池パック６Ａの各々のＥＣＵ５４からの劣化推定情報を受信する。蓄電池状態検出部３６Ａは、受信した劣化推定情報を劣化状態推定部３８Ａに出力する。
【００９１】
劣化状態推定部３８Ａは、蓄電池状態検出部３６Ａからの劣化推定情報に基づいて、複数のセル８の各々の劣化状態を推定する。また、劣化状態推定部３８Ａは、複数のセル８のうち劣化している（例えば、劣化の度合いが閾値を超えている）セル８を劣化セルとして特定する。なお、劣化状態推定部３８Ａは、特定した劣化セルに関する情報（例えば劣化セルのシリアル番号等）を、例えば工場３０内の組み立てエリアに設置されたモニタに報知する。
【００９２】
［２−２．電池パックの製造方法］
次に、図６を参照しながら、蓄電池検査装置２Ａを用いた電池パック６Ａの製造工程について説明する。図６は、実施の形態２に係る蓄電池検査装置２Ａを用いた電池パック６Ａの製造工程の流れを示すフローチャートである。
【００９３】
図６に示すように、まず、例えば工場３０内の製造エリアにおいて、複数のセル８が製造される（Ｓ２０１）。その後、複数のセル８は、例えば工場３０内の組み立てエリアに搬送され、電池パック６Ａの組み立てが行われる（Ｓ２０２）。
【００９４】
その後、組み立てられた複数の電池パック６Ａは、例えば工場３０内の検査エリアに搬送され、蓄電池検査装置２Ａのインターフェース回路２４に電気的に接続される。これにより、複数の電池パック６Ａの充放電検査が開始される（Ｓ２０３）。
【００９５】
蓄電池状態検出部３６Ａは、電力変換部２６により複数の電池パック６Ａの各々が充放電されている状態で、複数の電池パック６Ａの各々の状態を検出する（Ｓ２０４）。複数の電池パック６Ａの各々の充放電が所定サイクル行われていない場合には（Ｓ２０５でＮＯ）、上述したステップＳ２０４に戻る。なお、所定サイクルとは、所定期間（例えば１か月）における充放電回数のことである。
【００９６】
複数の電池パック６Ａの各々の充放電が所定サイクル行われた場合には（Ｓ２０５でＹＥＳ）、複数の電池パック６Ａの充放電検査が終了する（Ｓ２０６）。その後、蓄電池状態検出部３６Ａは、インターフェース回路２４に電気的に接続された複数の電池パック６Ａの各々のＥＣＵ５４からの劣化推定情報を受信する（Ｓ２０７）。
【００９７】
劣化状態推定部３８Ａは、蓄電池状態検出部３６Ａからの劣化推定情報に基づいて、複数のセル８の各々の劣化状態を推定する（Ｓ２０８）。なお、劣化状態推定部３８Ａは、複数のセル８のうち劣化しているセル８を劣化セルとして特定し、特定した劣化セルに関する情報を、例えば工場３０内の組み立てエリアに設置されたモニタに報知する。
【００９８】
その後、劣化セルとして特定されたセル８を含む電池パック６Ａは、例えば工場３０内の組み立てエリアに搬送される。組み立てエリアの作業員等は、モニタの表示内容に基づいて、搬送されてきた電池パック６Ａにおいて劣化セルと特定されたセル８を、予め準備された他の正常なセル８（例えば、劣化の度合いが閾値を超えない、充放電検査済みのセル８）と置き換える（Ｓ２０９）。
【００９９】
［２−３．効果］
上述したように、本実施の形態では、劣化セルと特定されたセル８を、予め準備された他のセル８と置き換えるので、電池パック６Ａの品質を高めることができる。
【０１００】
（実施の形態３）
［３−１．蓄電池検査装置の構成］
図７を参照しながら、実施の形態３に係る蓄電池検査装置２Ｂの構成について説明する。図７は、実施の形態３に係る蓄電池検査装置２Ｂの構成を示すブロック図である。
【０１０１】
図７に示すように、実施の形態３に係る蓄電池検査装置２Ｂは、上記実施の形態１と同様に、セル８の単位で蓄電池の充放電検査を行う。
【０１０２】
また、蓄電池検査装置２Ｂは、電力平準化のために、周波数（系統周波数）が互いに異なる第１の電力系統５６及び第２の電力系統５８のいずれかに選択的に系統連系される。第１の電力系統５６は西日本エリアに敷設されており、第１の電力系統５６の周波数は６０Ｈｚである。一方、第２の電力系統５８は東日本エリアに敷設されており、第２の電力系統５８の周波数は５０Ｈｚである。すなわち、蓄電池検査装置２Ｂは、第１の電力系統５６が敷設された西日本エリアと、第２の電力系統５８が敷設された東日本エリアとの境界部付近に配置されている。
【０１０３】
第１の電力系統５６には、太陽光発電装置６０、風力発電装置６２及び火力発電装置６３が電気的に接続されている。また、後述する第１の切替状態では、第１の電力系統５６には蓄電池検査装置２Ｂが電気的に接続される。
【０１０４】
なお、第１の電力系統５６は、太陽光発電装置６０、風力発電装置６２及び火力発電装置６３の各々により発電された６０Ｈｚの交流電力、並びに、蓄電池検査装置２Ｂから逆潮流された６０Ｈｚの交流電力を、第１の電力系統５６に電気的に接続された各需要家（図示せず）に供給するための商用電力系統である。
【０１０５】
太陽光発電装置６０は、太陽電池６４と、電力変換部６６とを備えている。太陽電池６４は、太陽光エネルギーを電気エネルギーに変換することにより発電する太陽電池モジュールである。太陽電池６４は、発電により直流電力を生成し、生成した直流電力を電力変換部６６に出力する。電力変換部６６は、第１の電力系統５６及び太陽電池６４の各々に電気的に接続されたＤＣ／ＡＣインバータである。電力変換部６６は、太陽電池６４からの直流電力を６０Ｈｚの交流電力に変換して、当該交流電力を第１の電力系統５６に供給する。
【０１０６】
風力発電装置６２は、風力発電機６８と、電力変換部７０とを備えている。風力発電機６８は、風力エネルギーを電気エネルギーに変換することにより発電する風車である。風力発電機６８は、発電により生成した交流電力を整流して直流電力として出力する。この直流電力は、電力変換部７０に出力される。電力変換部７０は、第１の電力系統５６及び風力発電機６８の各々に電気的に接続されたＤＣ／ＡＣインバータである。電力変換部７０は、風力発電機６８からの整流された直流電力を６０Ｈｚの交流電力に変換して、当該交流電力を第１の電力系統５６に供給する。
【０１０７】
火力発電装置６３は、火力エネルギーを電気エネルギーに変換することにより発電する装置である。火力発電装置６３は、発電により６０Ｈｚの交流電力を生成し、生成した交流電力を第１の電力系統５６に供給する。
【０１０８】
一方、第２の電力系統５８には、太陽光発電装置７２、風力発電装置７４及び火力発電装置７６が電気的に接続されている。また、後述する第２の切替状態では、第２の電力系統５８には蓄電池検査装置２Ｂが電気的に接続される。
【０１０９】
なお、第２の電力系統５８は、太陽光発電装置７２、風力発電装置７４及び火力発電装置７６の各々により発電された５０Ｈｚの交流電力、並びに、蓄電池検査装置２Ｂから逆潮流された５０Ｈｚの交流電力を、第２の電力系統５８に電気的に接続された各需要家（図示せず）に供給するための商用電力系統である。
【０１１０】
太陽光発電装置７２は、太陽電池７８と、電力変換部８０とを備えている。太陽電池７８は、発電により直流電力を生成し、生成した直流電力を電力変換部８０に出力する。電力変換部８０は、第２の電力系統５８及び太陽電池７８の各々に電気的に接続されたＤＣ／ＡＣインバータである。電力変換部８０は、太陽電池７８からの直流電力を５０Ｈｚの交流電力に変換して、当該交流電力を第２の電力系統５８に供給する。
【０１１１】
風力発電装置７４は、風力発電機８２と、電力変換部８４とを備えている。風力発電機８２は、発電により生成した交流電力を整流して直流電力として出力する。この直流電力は、電力変換部８４に出力される。電力変換部８４は、第２の電力系統５８及び風力発電機８２の各々に電気的に接続されたＤＣ／ＡＣインバータである。電力変換部８４は、風力発電機８２からの整流された直流電力を５０Ｈｚの交流電力に変換して、当該交流電力を第２の電力系統５８に供給する。
【０１１２】
火力発電装置７６は、発電により５０Ｈｚの交流電力を生成し、生成した交流電力を第２の電力系統５８に供給する。
【０１１３】
蓄電池検査装置２Ｂは、インターフェース回路２４と、電力変換部２６Ｂと、統合制御部２８Ｂとを備えている。
【０１１４】
インターフェース回路２４は、電力変換部２６Ｂと複数のセル８の各々とを互いに電気的に接続するためのインターフェースである。インターフェース回路２４には、電力変換部２６ＢのＡＣ／ＤＣコンバータ８８（後述する）の直流側が電気的に接続され、且つ、検査対象の複数のセル８がそれぞれ複数の検査治具（図示せず）を介して電気的に接続される。すなわち、複数のセル８の各々は、インターフェース回路２４を介して電力変換部２６ＢのＡＣ／ＤＣコンバータ８８の直流側に電気的に接続される。
【０１１５】
電力変換部２６Ｂは、切替部８６と、ＡＣ／ＤＣコンバータ８８とを有している。
【０１１６】
切替部８６は、ＡＣ／ＤＣコンバータ８８の交流側の電気的な接続先を、第１の電力系統５６及び第２の電力系統５８のいずれかに切り替えるための切替スイッチである。
【０１１７】
ＡＣ／ＤＣコンバータ８８は、交流電力及び直流電力を双方向に変換する双方向ＡＣ／ＤＣコンバータである。ＡＣ／ＤＣコンバータ８８の交流側は、切替部８６を介して第１の電力系統５６及び第２の電力系統５８のいずれかに電気的に接続されている。また、ＡＣ／ＤＣコンバータ８８の直流側は、インターフェース回路２４を介して複数のセル８の各々に電気的に接続されている。
【０１１８】
切替部８６によりＡＣ／ＤＣコンバータ８８の交流側の電気的な接続先が第１の電力系統５６に切り替えられた状態（第１の切替状態）では、ＡＣ／ＤＣコンバータ８８は、第１の電力系統５６に系統連系される。この第１の切替状態では、ＡＣ／ＤＣコンバータ８８は、第１の電力系統５６からの６０Ｈｚの交流電力を直流電力に変換し、当該直流電力をインターフェース回路２４に電気的に接続された複数のセル８の各々に充電させる。また、ＡＣ／ＤＣコンバータ８８は、インターフェース回路２４に電気的に接続された複数のセル８の各々から放電された直流電力を６０Ｈｚの交流電力に変換し、当該交流電力を第１の電力系統５６に逆潮流（供給）する。
【０１１９】
一方、切替部８６によりＡＣ／ＤＣコンバータ８８の交流側の電気的な接続先が第２の電力系統５８に切り替えられた状態（第２の切替状態）では、ＡＣ／ＤＣコンバータ８８は、第２の電力系統５８に系統連系される。この第２の切替状態では、ＡＣ／ＤＣコンバータ８８は、第２の電力系統５８からの５０Ｈｚの交流電力を直流電力に変換し、当該直流電力をインターフェース回路２４に電気的に接続された複数のセル８の各々に充電させる。また、ＡＣ／ＤＣコンバータ８８は、インターフェース回路２４に電気的に接続された複数のセル８の各々から放電された直流電力を５０Ｈｚの交流電力に変換し、当該交流電力を第２の電力系統５８に逆潮流する。
【０１２０】
統合制御部２８Ｂは、系統連系制御部３２と、充放電制御部３４と、蓄電池状態検出部３６と、劣化状態推定部３８と、切替制御部９０とを有している。
【０１２１】
系統連系制御部３２は、ＡＣ／ＤＣコンバータ８８を駆動することにより、第１の電力系統５６又は第２の電力系統５８と蓄電池検査装置２Ｂとの電力平準化のための系統連系を制御する。具体的には、系統連系制御部３２は、電力会社（図示せず）からの指示に基づいて、ＡＣ／ＤＣコンバータ８８からの交流電力を第１の電力系統５６又は第２の電力系統５８に逆潮流させるタイミング及び期間等を制御する。
【０１２２】
充放電制御部３４は、ＡＣ／ＤＣコンバータ８８を駆動することにより、ＡＣ／ＤＣコンバータ８８による複数のセル８の各々の充放電を制御する。
【０１２３】
蓄電池状態検出部３６及び劣化状態推定部５８の各機能は、上記実施の形態１と同様であるため、説明を省略する。
【０１２４】
切替制御部９０は、例えば第１の電力系統５６及び第２の電力系統５８０の各々における電力需給の状況に基づいて、ＡＣ／ＤＣコンバータ８８の交流側の電気的な接続先を第１の電力系統５６及び第２の電力系統５８のいずれかに切り替えるように切替部８６を制御する。なお、第１の電力系統５６及び第２の電力系統５８の各々における電力需給の状況は、例えば電力会社から蓄電池検査装置２Ｂに通知される。
【０１２５】
具体的には、第１の電力系統５６における電力供給が不足している場合には、切替制御部９０は、ＡＣ／ＤＣコンバータ８８の交流側の電気的な接続先を第１の電力系統５６に切り替えるように切替部８６を制御する。この場合、充放電制御部３４は、ＡＣ／ＤＣコンバータ８８を駆動することにより、複数のセル８の各々から放電された直流電力を６０Ｈｚの交流電力に変換し、当該交流電力を第１の電力系統５６に逆潮流させる。なお、「第１の電力系統５６における電力供給が不足している」とは、例えば第１の電力系統５６に電気的に接続された太陽光発電装置６０、風力発電装置６２及び火力発電装置６３の各々により発電された交流電力だけでは電力需要を賄えない状況をいう。
【０１２６】
一方、第２の電力系統５８における電力供給が不足している場合には、切替制御部９０は、ＡＣ／ＤＣコンバータ８８の交流側の電気的な接続先を第２の電力系統５８に切り替えるように切替部８６を制御する。この場合、充放電制御部３４は、ＡＣ／ＤＣコンバータ８８を駆動することにより、複数のセル８の各々から放電された直流電力を５０Ｈｚの交流電力に変換し、当該交流電力を第２の電力系統５８に逆潮流させる。なお、「第２の電力系統５８における電力供給が不足している」とは、例えば第２の電力系統５８に電気的に接続された太陽光発電装置７２、風力発電装置７４及び火力発電装置７６の各々により発電された交流電力だけでは電力需要を賄えない状況をいう。
【０１２７】
［３−２．蓄電池検査装置の動作］
次に、図８を参照しながら、蓄電池検査装置２Ｂの動作について説明する。図８は、実施の形態３に係る蓄電池検査装置２Ｂの動作の流れを示すフローチャートである。
【０１２８】
以下では、蓄電池検査装置２Ｂが電力平準化のために第１の電力系統５６に系統連系された状態で、複数のセル８の充放電検査を行う場合について説明する。
【０１２９】
図８に示すように、まず、切替制御部９０は、ＡＣ／ＤＣコンバータ８８の交流側の電気的な接続先を第１の電力系統５６に切り替えるように切替部８６を制御する（Ｓ３０１）。これにより、蓄電池検査装置２Ｂが第１の電力系統５６に系統連系され（Ｓ３０２）、この状態で、複数のセル８の充放電検査が上記実施の形態１で説明した通りに行われる（Ｓ３０３）。
【０１３０】
これにより、例えば日射量の多い昼間等のように、再生可能エネルギーの発電量が多くなる時間帯には、第１の電力系統５６からの余剰電力により複数のセル８の各々の充電が行われる。また、例えば日射量の少ない夕方等のように、再生可能エネルギーの発電量が少なくなり且つ電力需要が多くなる時間帯には、複数のセル８の各々の放電が行われ、第１の電力系統５６に逆潮流される。
【０１３１】
その結果、電力平準化のための専用の蓄電装置を設けることなく、工場３０に設けた蓄電池検査装置２Ｂにより、第１の電力系統５６の周波数の安定化を図ることができるとともに、再生可能エネルギーの平準化を図ることができる。したがって、エネルギー資源の活用の観点から、充放電検査のための莫大な電力エネルギー（例えば、数十〜数百ＭＷｈ）を有効に活用することができる。
【０１３２】
第２の電力系統５８における電力供給が不足していない場合には（Ｓ３０４でＮＯ）、上述したステップＳ３０３に戻り、複数のセル８の充放電検査が継続して行われる。
【０１３３】
一方、例えば災害等により第２の電力系統５８における電力供給が不足している場合には（Ｓ３０４でＹＥＳ）、切替制御部９０は、ＡＣ／ＤＣコンバータ８８の交流側の電気的な接続先を第１の電力系統５６から第２の電力系統５８に切り替えるように切替部８６を制御する（Ｓ３０５）。これにより、蓄電池検査装置２Ｂが第２の電力系統５８に系統連系され（Ｓ３０６）、複数のセル８の充放電検査が中断される。充放電制御部３４は、ＡＣ／ＤＣコンバータ８８を駆動することにより、複数のセル８の各々から放電された直流電力を５０Ｈｚの交流電力に変換し、当該交流電力を第２の電力系統５８に逆潮流させる（Ｓ３０７）。その結果、充放電検査で複数のセル８の各々に充電された直流電力を利用して、第２の電力系統５８に交流電力を融通することができる。
【０１３４】
第２の電力系統５８における電力供給の不足が解消しておらず、且つ、複数のセル８の電力残量が下限に至っていない場合には（Ｓ３０８でＮＯ）、上述したステップＳ３０７に戻り、第２の電力系統５８への交流電力の逆潮流が継続して行われる。
【０１３５】
一方、第２の電力系統５８における電力供給の不足が解消した場合、又は、複数のセル８の電力残量が下限に至った場合であって（Ｓ３０８でＹＥＳ）、複数のセル８の充放電検査を継続して行う場合には（Ｓ３０９でＮＯ）、上述したステップＳ３０１に戻り、ＡＣ／ＤＣコンバータ８８の交流側の電気的な接続先が第２の電力系統５８から第１の電力系統５６に切り替えられる。複数のセル８の充放電検査を終了する場合には（Ｓ３０９でＹＥＳ）、処理を終了する。
【０１３６】
なお、蓄電池検査装置２Ｂが電力平準化のために第２の電力系統５８に系統連系された状態で、複数のセル８の充放電検査を行う場合における蓄電池検査装置２Ｂの動作については、上述したステップＳ３０１〜Ｓ３０９の説明において、「第１の電力系統５６」を「第２の電力系統５８」に、「第２の電力系統５８」を「第１の電力系統５６」に、「５０Ｈｚの交流電力」を「６０Ｈｚの交流電力」にそれぞれ読み替えればよい。
【０１３７】
［３−３．効果］
上述したように、本実施の形態では、例えば第１の電力系統５６及び第２の電力系統５８の各々における電力需給の状況に基づいて、ＡＣ／ＤＣコンバータ８８の交流側の電気的な接続先が第１の電力系統５６及び第２の電力系統５８のいずれかに切り替えられる。
【０１３８】
これにより、例えば災害等により第１の電力系統５６における電力供給が不足している場合には、ＡＣ／ＤＣコンバータ８８の交流側の電気的な接続先を第１の電力系統５６に切り替えることにより、充放電検査で複数のセル８の各々に充電された直流電力を利用して、第１の電力系統５６に交流電力を融通することができる。
【０１３９】
同様に、例えば災害等により第２の電力系統５８における電力供給が不足している場合には、ＡＣ／ＤＣコンバータ８８の交流側の電気的な接続先を第２の電力系統５８に切り替えることにより、充放電検査で複数のセル８の各々に充電された直流電力を利用して、第２の電力系統５８に交流電力を融通することができる。
【０１４０】
（実施の形態４）
［４−１．蓄電池検査装置の構成］
図９を参照しながら、実施の形態４に係る蓄電池検査装置２Ｃの構成について説明する。図９は、実施の形態４に係る蓄電池検査装置２Ｃの構成を示すブロック図である。
【０１４１】
図９に示すように、実施の形態４に係る蓄電池検査装置２Ｃは、上記実施の形態２と同様に、電池パック６Ａの単位で蓄電池の充放電検査を行う。統合制御部２８Ｃの蓄電池状態検出部３６Ａ及び劣化状態推定部３８Ａの各機能については、上記実施の形態２と同様であるので、説明を省略する。
【０１４２】
さらに、実施の形態４に係る蓄電池検査装置２Ｃでは、電力変換部２６Ｃの構成が上記
実施の形態３と異なっている。具体的には、電力変換部２６Ｃは、第１のＡＣ／ＤＣコンバータ９２と、第２のＡＣ／ＤＣコンバータ９４とを有している。
【０１４３】
第１のＡＣ／ＤＣコンバータ９２及び第２のＡＣ／ＤＣコンバータ９４の各々は、交流電力及び直流電力を双方向に変換する双方向ＡＣ／ＤＣコンバータである。第１のＡＣ／ＤＣコンバータ９２の交流側は、第１の電力系統５６に電気的に接続され、第１のＡＣ／ＤＣコンバータ９２の直流側は、インターフェース回路２４を介して複数の電池パック６Ａの各々に電気的に接続されている。また、第２のＡＣ／ＤＣコンバータ９４の交流側は、第２の電力系統５８に電気的に接続され、第２のＡＣ／ＤＣコンバータ９４の直流側は、インターフェース回路２４を介して複数の電池パック６Ａの各々に電気的に接続されている。さらに、第１のＡＣ／ＤＣコンバータ９２及び第２のＡＣ／ＤＣコンバータ９４の各直流側は、互いに電気的に接続されている。
【０１４４】
第１のＡＣ／ＤＣコンバータ９２の動作がオン、第２のＡＣ／ＤＣコンバータ９４の動作がオフされた状態（第１の切替状態）では、第１のＡＣ／ＤＣコンバータ９２は、第１の電力系統５６に系統連系される。この第１の切替状態では、第１のＡＣ／ＤＣコンバータ９２は、第１の電力系統５６からの６０Ｈｚの交流電力を直流電力に変換し、当該直流電力をインターフェース回路２４に電気的に接続された複数の電池パック６Ａの各々に充電させる。また、第１のＡＣ／ＤＣコンバータ９２は、インターフェース回路２４に電気的に接続された複数の電池パック６Ａの各々から放電された直流電力を６０Ｈｚの交流電力に変換し、当該交流電力を第１の電力系統５６に逆潮流する。
【０１４５】
一方、第１のＡＣ／ＤＣコンバータ９２の動作がオフ、第２のＡＣ／ＤＣコンバータ９４の動作がオンされた状態（第２の切替状態）では、第２のＡＣ／ＤＣコンバータ９４は、第２の電力系統５８に系統連系される。この第２の切替状態では、第２のＡＣ／ＤＣコンバータ９４は、第２の電力系統５８からの５０Ｈｚの交流電力を直流電力に変換し、当該直流電力をインターフェース回路２４に電気的に接続された複数の電池パック６Ａの各々に充電させる。また、第２のＡＣ／ＤＣコンバータ９４は、インターフェース回路２４に電気的に接続された複数の電池パック６Ａの各々から放電された直流電力を５０Ｈｚの交流電力に変換し、当該交流電力を第２の電力系統５８に逆潮流する。
【０１４６】
統合制御部２８Ｃの切替制御部９０Ｃは、例えば第１の電力系統５６及び第２の電力系統５８の各々における電力需給の状況に基づいて、第１のＡＣ／ＤＣコンバータ９２及び第２のＡＣ／ＤＣコンバータ９４の各動作を制御する。
【０１４７】
具体的には、第１の電力系統５６における電力供給が不足し、且つ、複数の電池パック６Ａの残容量が所定の閾値を下回っていない場合には、切替制御部９０Ｃは、第１のＡＣ／ＤＣコンバータ９２の動作をオン、第２のＡＣ／ＤＣコンバータ９４の動作をオフさせる。この場合、充放電制御部３４は、第１のＡＣ／ＤＣコンバータ９２を駆動することにより、複数の電池パック６Ａの各々から放電された直流電力を６０Ｈｚの交流電力に変換し、当該交流電力を第１の電力系統５６に逆潮流させる。
【０１４８】
一方、第２の電力系統５８における電力供給が不足し、且つ、複数の電池パック６Ａの残容量が所定の閾値を下回っていない場合には、切替制御部９０Ｃは、第１のＡＣ／ＤＣコンバータ９２の動作をオフ、第２のＡＣ／ＤＣコンバータ９４の動作をオンさせる。この場合、充放電制御部３４は、第２のＡＣ／ＤＣコンバータ９４を駆動することにより、複数の電池パック６Ａの各々から放電された直流電力を５０Ｈｚの交流電力に変換し、当該交流電力を第２の電力系統５８に逆潮流させる。
【０１４９】
また、切替制御部９０Ｃは、第１の電力系統５６及び第２の電力系統５８の他方における電力供給が不足し、且つ、複数の電池パック６Ａの残容量が所定の閾値を下回る場合（所定の条件を満たす場合の一例）に、第１の電力系統５６及び第２の電力系統５８の一方からの交流電力を他方に融通するように、第１のＡＣ／ＤＣコンバータ９２及び第２のＡＣ／ＤＣコンバータ９４の各々の動作をともにオンさせる。
【０１５０】
［４−２．蓄電池検査装置の動作］
次に、図１０を参照しながら、蓄電池検査装置２Ｃの動作について説明する。図１０は、実施の形態４に係る蓄電池検査装置２Ｃの動作の流れを示すフローチャートである。
【０１５１】
以下では、蓄電池検査装置２Ｃが電力平準化のために第１の電力系統５６に系統連系された状態で、複数の電池パック６Ａの充放電検査を行う場合について説明する。
【０１５２】
図１０に示すように、まず、切替制御部９０Ｃは、第１のＡＣ／ＤＣコンバータ９２の動作をオン、第２のＡＣ／ＤＣコンバータ９４の動作をオフさせる（Ｓ４０１）。これにより、蓄電池検査装置２Ｃが第１の電力系統５６に系統連系され（Ｓ４０２）、この状態で、複数の電池パック６Ａの充放電検査が上述した通りに行われる（Ｓ４０３）。
【０１５３】
第２の電力系統５８における電力供給が不足していない場合には（Ｓ４０４でＮＯ）、上述したステップＳ４０３に戻り、複数の電池パック６Ａの充放電検査が継続して行われる。
【０１５４】
一方、例えば災害等により第２の電力系統５８における電力供給が不足し、且つ、複数の電池パック６Ａの残容量が所定の閾値を下回っていない場合には（Ｓ４０４でＹＥＳ、Ｓ４０５でＮＯ）、切替制御部９０Ｃは、第１のＡＣ／ＤＣコンバータ９２の動作をオフ、第２のＡＣ／ＤＣコンバータ９４の動作をオンさせる（Ｓ４０６）。これにより、蓄電池検査装置２Ｃが第２の電力系統５８に系統連系され（Ｓ４０７）、複数の電池パック６Ａの充放電検査が中断される。充放電制御部３４は、第２のＡＣ／ＤＣコンバータ９４を駆動することにより、複数の電池パック６Ａの各々から放電された直流電力を５０Ｈｚの交流電力に変換し、当該交流電力を第２の電力系統５８に逆潮流させる（Ｓ４０８）。その結果、充放電検査で複数の電池パック６Ａの各々に充電された直流電力を利用して、第２の電力系統５８に交流電力を融通することができる。
【０１５５】
第２の電力系統５８における電力供給の不足が解消しておらず、且つ、複数の電池パック６Ａの残容量が所定の閾値を下回っていない場合には（Ｓ４０９でＮＯ）、上述したステップＳ４０８に戻り、第２の電力系統５８への交流電力の逆潮流が継続して行われる。
【０１５６】
一方、第２の電力系統５８における電力供給の不足が解消した場合、又は、複数の電池パック６Ａの残容量が所定の閾値を下回った場合であって（Ｓ４０９でＹＥＳ）、複数の電池パック６Ａの充放電検査を継続して行う場合には（Ｓ４１０でＮＯ）、上述したステップＳ４０１に戻り、第１のＡＣ／ＤＣコンバータ９２の動作がオン、第２のＡＣ／ＤＣコンバータ９４の動作がオフされる。複数の電池パック６Ａの充放電検査を終了する場合には（Ｓ４１０でＹＥＳ）、処理を終了する。
【０１５７】
上述したステップＳ４０４に戻り、例えば災害等により第２の電力系統５８における電力供給が不足し、且つ、複数の電池パック６Ａの残容量が所定の閾値を下回る場合には（Ｓ４０４でＹＥＳ、Ｓ４０５でＹＥＳ）、切替制御部９０Ｃは、第１のＡＣ／ＤＣコンバータ９２及び第２のＡＣ／ＤＣコンバータ９４の各動作をともにオンさせる（Ｓ４１１）。これにより、第１のＡＣ／ＤＣコンバータ９２は、第１の電力系統５６からの６０Ｈｚの交流電力を直流電力に変換し、当該直流電力を第２のＡＣ／ＤＣコンバータ９４に供給する。第２のＡＣ／ＤＣコンバータ９４は、第１のＡＣ／ＤＣコンバータ９２からの直流電力を５０Ｈｚの交流電力に変換し、当該交流電力を第２の電力系統５８に供給（融通）する（Ｓ４１２）。その後、上述したステップＳ４０９に進む。
【０１５８】
なお、蓄電池検査装置２Ｃが電力平準化のために第２の電力系統５８に系統連系された状態で、複数の電池パック６Ａの充放電検査を行う場合における蓄電池検査装置２Ｃの動作については、上述したステップＳ４０１〜Ｓ４１２の説明において、「第１の電力系統５６」を「第２の電力系統５８」に、「第２の電力系統５８」を「第１の電力系統５６」に、「５０Ｈｚの交流電力」を「６０Ｈｚの交流電力」に、「６０Ｈｚの交流電力」を「５０Ｈｚの交流電力」にそれぞれ読み替えればよい。
【０１５９】
［４−３．効果］
上述したように、本実施の形態では、例えば第１の電力系統５６及び第２の電力系統５８の各々における電力需給の状況に基づいて、第１のＡＣ／ＤＣコンバータ９２及び第２のＡＣ／ＤＣコンバータ９４の各動作がオン・オフされる。
【０１６０】
これにより、例えば災害等により第１の電力系統５６において電力供給が不足している場合には、第１のＡＣ／ＤＣコンバータ９２の動作がオン、第２のＡＣ／ＤＣコンバータ９４の動作がオフされることにより、充放電検査で複数の電池パック６Ａの各々に充電された直流電力を利用して、第１の電力系統５６に交流電力を融通することができる。
【０１６１】
同様に、例えば災害等により第２の電力系統５８において電力供給が不足している場合には、第１のＡＣ／ＤＣコンバータ９２の動作がオフ、第２のＡＣ／ＤＣコンバータ９４の動作がオンされることにより、充放電検査で複数の電池パック６Ａの各々に充電された直流電力を利用して、第２の電力系統５８に交流電力を融通することができる。
【０１６２】
また、第１の電力系統５６及び第２の電力系統５８の他方における電力供給が不足し、且つ、複数の電池パック６Ａの残容量が所定の閾値を下回る場合には、第１のＡＣ／ＤＣコンバータ９２及び第２のＡＣ／ＤＣコンバータ９４の各々の動作をともにオンさせることにより、第１の電力系統５６及び第２の電力系統５８の一方からの交流電力を他方に融通することができる。
【０１６３】
（他の変形例）
以上、一つ又は複数の態様に係る蓄電池検査装置及び蓄電池の製造方法について、上記各実施の形態に基づいて説明したが、本開示は、上記各実施の形態に限定されるものではない。本開示の趣旨を逸脱しない限り、当業者が思い付く各種変形を上記各実施の形態に施したものや、異なる実施の形態における構成要素を組み合わせて構築される形態も、一つ又は複数の態様の範囲内に含まれてもよい。
【０１６４】
上記各実施の形態では、電池パック６（６Ａ）を電動車両用としたが、これに限定されず、例えば搬送車両用又は搬送ロボット用等の任意の用途に用いてもよい。
【０１６５】
上記各実施の形態では、セル８の単位（最小部品単位）又は電池パック６Ａの単位（完成品単位）で蓄電池の充放電検査を行うようにしたが、これに限定されず、例えばセル８と電池パック６Ａとの中間状態であるモジュールの単位（半完成品単位）で蓄電池の充放電検査を行うようにしてもよい。
【０１６６】
上記各実施の形態では、電池パック６（６Ａ）を製造するための工場３０において充放電検査が行われるようにしたが、これに限定されず、例えば電動車両を製造するための工場や、充放電検査専用の工場等において充放電検査が行われるようにしてもよい。
【０１６７】
上記実施の形態１では、劣化状態推定部３８は、蓄電池状態検出部３６からの検出結果に基づいて、複数のセル８を電池パック６の用途に応じてランク分けしたが、上記実施の形態２においても同様に構成してもよい。すなわち、実施の形態２の劣化状態推定部３８Ａは、蓄電池状態検出部３６Ａからの検出結果に基づいて、複数の電池パック６Ａをその用途に応じてランク分けしてもよい。
【０１６８】
上記実施の形態３では、切替制御部９０は、第１の電力系統５６（第２の電力系統５８）における電力供給が不足している場合に、ＡＣ／ＤＣコンバータ８８の交流側の電気的な接続先を第１の電力系統５６（第２の電力系統５８）に切り替えるように切替部８６を制御したが、例えば次のように構成してもよい。すなわち、切替制御部９０は、第１の電力系統５６（第２の電力系統５８）における電力需給がひっ迫している場合に、ＡＣ／ＤＣコンバータ８８の交流側の電気的な接続先を第１の電力系統５６（第２の電力系統５８）に切り替えるように切替部８６を制御してもよい。これにより、複数のセル８に充電された直流電力を利用して、第１の電力系統５６及び第２の電力系統５８のうち、電力需給がひっ迫している側の電力系統に対して交流電力を予め融通することができる。なお、「第１の電力系統５６（第２の電力系統５８）における電力需給がひっ迫している」とは、第１の電力系統５６（第２の電力系統５８）に電気的に接続された太陽光発電装置６０（７２）、風力発電装置６２（７４）及び火力発電装置６３（７６）の各々により発電された交流電力だけでは電力需要を賄えなくなる可能性がある状況をいう。
【０１６９】
上記各実施の形態において、電力の蓄電のために、工場３０内の蓄電池検査装置２，２Ａ，２Ｂ，２Ｃに接続される複数のセル８や複数の電池パック６，６Ａを用いているが、この構成に限定されるものではなく、第１の電力系統５６及び第２の電力系統５８のいずれにも対応できる、電力平準化のための専用の蓄電池を備える蓄電装置として構成してもよい。
【０１７０】
なお、上記実施の形態において、各構成要素は、専用のハードウェアで構成されるか、各構成要素に適したソフトウェアプログラムを実行することによって実現されてもよい。各構成要素は、ＣＰＵ又はプロセッサ等のプログラム実行部が、ハードディスク又は半導体メモリなどの記録媒体に記録されたソフトウェアプログラムを読み出して実行することによって実現されてもよい。
【０１７１】
また、上記実施の形態に係る蓄電池検査装置の機能の一部又は全てを、ＣＰＵ等のプロセッサがプログラムを実行することにより実現してもよい。
【０１７２】
上記の各装置を構成する構成要素の一部又は全部は、各装置に脱着可能なＩＣカード又は単体のモジュールから構成されているとしても良い。前記ＩＣカード又は前記モジュールは、マイクロプロセッサ、ＲＯＭ、ＲＡＭ等から構成されるコンピュータシステムである。前記ＩＣカード又は前記モジュールは、上記の超多機能ＬＳＩを含むとしても良い。マイクロプロセッサが、コンピュータプログラムにしたがって動作することにより、前記ＩＣカード又は前記モジュールは、その機能を達成する。このＩＣカード又はこのモジュールは、耐タンパ性を有するとしても良い。
【０１７３】
本開示は、上記に示す方法であるとしても良い。また、これらの方法をコンピュータにより実現するコンピュータプログラムであるとしても良いし、前記コンピュータプログラムからなるデジタル信号であるとしても良い。また、本開示は、前記コンピュータプログラム又は前記デジタル信号をコンピュータ読み取り可能な記録媒体、例えばフレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリ等に記録したものとしても良い。また、これらの記録媒体に記録されている前記デジタル信号であるとしても良い。また、本開示は、前記コンピュータプログラム又は前記デジタル信号を、電気通信回線、無線又は有線通信回線、インターネットを代表とするネットワーク、データ放送等を経由して伝送するものとしても良い。また、本開示は、マイクロプロセッサとメモリを備えたコンピュータシステムであって、前記メモリは、上記コンピュータプログラムを記憶しており、前記マイクロプロセッサは、前記コンピュータプログラムにしたがって動作するとしても良い。また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしても良い。
【産業上の利用可能性】
【０１７４】
本開示は、例えば蓄電池を製造するための工場等に設置される蓄電池検査装置に適用可能である。
【符号の説明】
【０１７５】
２，２Ａ，２Ｂ，２Ｃ  蓄電池検査装置
４  電力系統
６，６ａ，６ｂ，６Ａ  電池パック
８  セル
１０，６０，７２  太陽光発電装置
１２，６２，７４  風力発電装置
１４，６３，７６  火力発電装置
１６，６４，７８  太陽電池
１８，２２，２６，２６Ｂ，２６Ｃ，６６，７０，８０，８４  電力変換部
２０，６８，８２  風力発電機
２４  インターフェース回路
２８，２８Ａ，２８Ｂ，２８Ｃ  統合制御部
３０  工場
３２  系統連系制御部
３４  充放電制御部
３６，３６Ａ  蓄電池状態検出部
３８，３８Ａ  劣化状態推定部
４０  放熱プレート
４２  水路
４４  供給管
４６  排出管
４８，５０，５２  領域
５４  ＥＣＵ
５６  第１の電力系統
５８  第２の電力系統
８６  切替部
８８  ＡＣ／ＤＣコンバータ
９０，９０Ｃ  切替制御部
９２  第１のＡＣ／ＤＣコンバータ
９４  第２のＡＣ／ＤＣコンバータ
【図１】
0006913880.tif 000002
【図２】
0006913880.tif 000003
【図３】
0006913880.tif 000004
【図４】
0006913880.tif 000005
【図５】
0006913880.tif 000006
【図６】
0006913880.tif 000007
【図７】
0006913880.tif 000008
【図８】
0006913880.tif 000009
【図９】
0006913880.tif 000010
【図１０】
0006913880.tif 000011